(57)【特許請求の範囲】
【請求項１】
電池を内蔵する携帯機器(9)を脱着できるように装着する装着部(2)を有するケース(1)と、このケース(1)内に設けられて、装着部(2)にセットされる携帯機器(9)の電源端子(9A)に接触される出力端子部(3A)を有するスプリング線(3)と、このスプリング線(3)に連結されて、ケース(1)内に往復運動できるように配設してなる往復運動体(4)と、この往復運動体(4)に連結している弾性体(5)とを備えており、
往復運動体(4)は、装着部(2)の底プレート(2A)からケース(1)の内側にあって、装着部(2)の両側に伸び、かつ装着部(2)の両側に往復運動できるように配設され、なおかつ、弾性体(5)でもって装着部(2)の外側から内側に弾性的に配置されて、装着部(2)にセットされる携帯機器(9)に押される駆動部(7)を第１の端部に有し、さらに、この駆動部(7)と反対側の第２の端部には、駆動部(7)が装着部(2)の外側に押されて出力端子部(3A)が装着部(2)に向かって突出するスプリング線(3)を直接連結しており、
ケース(1)が、装着部(2)に装着される携帯機器(9)の側面を保持して対向する保持壁(10)、(11)を備えており、保持壁(10)、(11)の内部に、出力端子部(3A)、セット時の駆動部(7)が収納され、
ケース(1)の装着部(2)に携帯機器(9)が装着されて、駆動部(7)が装着部(2)の外側に押されると、往復運動体(4)が移動して、スプリング線(3)の出力端子部(3A)を装着部(2)に突出させて、出力端子部(3A)を携帯機器(9)の電源端子(9A)に接触させるようにしてなる携帯機器の充電台。
【請求項２】
往復運動体(4)がロッド状で、第１の端部をＬ字状に折曲する形状に成形して駆動部(7)を設けている請求項１に記載される携帯機器の充電台。
【請求項３】
電池を内蔵する携帯機器(39)を脱着できるように装着する装着部(32)を有するケース(31)と、このケース(31)内に設けられて、装着部(32)にセットされる携帯機器(39)の電源端子(39A)に接触される出力端子部(33A)を有するスプリング線(33)と、このスプリング線(33)に連結されて、ケース(31)内に往復運動できるように配設してなる往復運動体(34)と、この往復運動体(34)に連結されてケース(31)内に傾動できるように配設してなる傾動アーム(36)と、往復運動体(34)または傾動アーム(36)に連結している弾性体(35)とを備えており、
往復運動体(34)は、ケース(31)の内側にあって、スプリング線(33)の出力端子部(33A)を装着部(32)に突出させる方向に往復運動できるように配設しており、
傾動アーム(36)は、ケース(31)内であって、装着部(32)の一方の側部に沿う方向に伸び、かつ装着部(32)の底プレート(32A)と平行な面内で傾動できるように配設され、なおかつ、弾性体(35)でもって装着部(32)の外側から内側に弾性的に配置されて、装着部(32)にセットされる携帯機器(39)に押される駆動部(37)を第１の端部に有し、さらに、この駆動部(37)と反対側の第２の端部を往復運動体(34)に連結しており、
ケース(31)が、装着部(32)に装着される携帯機器(39)の側面を保持する保持壁(40)を備えており、保持壁(41)内部に、傾動アーム(36)、出力端子部(33A)が収納され、
ケース(31)の装着部(32)に携帯機器(39)が装着されて、駆動部(37)が装着部(32)から外側に押されると傾動アーム(36)が傾動し、傾動する傾動アーム(36)が往復運動体(34)を移動させて、スプリング線(33)の出力端子部(33A)を保持壁(40)から装着部(32)に突出させて、出力端子部(33A)を携帯機器(39)の電源端子(39A)に接触させるようにしてなる携帯機器の充電台。
【請求項４】
ケース(1)、(31)が、装着部(2)、(32)に装着される携帯機器(9)、(39)の側面を保持する保持壁(11)、(40)を備えており、この保持壁(11)、(40)に設けた貫通孔(14)、(44)から装着部(2)、(32)に出入りするように駆動部(7)、(37)を配設している請求項１ないし３のいずれかに記載される携帯機器の充電台。
【請求項５】
ケース(1)、(31)が、装着部(2)、(32)に装着される携帯機器(9)、(39)の側面を保持する保持壁(10)、(41)を備えており、この保持壁(10)、(41)と、装着部(2)、(32)の外側から内側に弾性的に配置される駆動部(7)、(37)とで、装着部(2)、(32)に装着される携帯機器(9)、(39)を挟着状態に保持する請求項１ないし３のいずれかに記載される携帯機器の充電台。
【請求項６】
弾性体(5)、(35)がコイルスプリングで、往復運動体(4)、(34)が、コイルスプリングを配設するスリット(16)、(46)を有すると共に、このスリット(16)、(46)にコイルスプリングを配設する連結ロッド(17)、(47)を一体的に成形して設けており、弾性体(5)、(35)のコイルスプリングが往復運動体(4)、(34)の連結ロッド(17)、(47)に連結されると共に、ケース(1)、(31)にもコイルスプリングの他端を連結する連結部(18)、(48)を設けている請求項１ないし３のいずれかに記載される携帯機器の充電台。
【請求項７】
ケース(1)、(31)が、往復運動体(4)、(34)を往復運動させるガイド(19)、(49)を一体的に成形して設けている請求項１ないし３のいずれかに記載される携帯機器の充電台。
【発明の詳細な説明】
【技術分野】
【０００１】
本発明は、充電できる電池を内蔵する携帯機器を装着して、内蔵している二次電池を充電する充電台に関する。
【背景技術】
【０００２】
充電台は、装着される携帯機器の電源端子に接触される正負の接触端子を備えている。正負の接触端子に金属が接触してショートすると、大きなショート電流が流れる。また、正負の接触端子の電圧が高い場合には、濡れた手で接触すると感電する可能性もある。また、電圧が低い場合でも、長時間接触すると低温やけどを被るおそれがある。これらの弊害を解消するために、携帯機器を装着しない状態では、接触端子をケース内に収納する充電台が開発されている。（特許文献１参照）
【０００３】
この公報に記載される充電台を図１ないし図５に示す。この充電台は、携帯機器９９を嵌合して装着する凹状の装着部９２を有するケース９１と、装着部９２に携帯機器９９が装着されたことを検知する装着検知部９０と、携帯機器９９が装着部９２に装着されたとき、携帯機器９９に設けられた電源端子９９Ａと接触し、携帯機器９９に内蔵される二次電池に充電電圧を印加するための一対の出力端子部９３Ａを備える。出力端子部９３Ａは、ケース９１内に配設されて、ケース９１に設けられた端子窓９５から装着部９２に出没可能に設けられている。装着検知部９０は、ケース９１内に軸支され、一端の突出部９７が装着部９２の底面に設けられた貫通孔９６を貫通して突出する傾動体９４と、傾動体９４の突出部９７を突出方向に付勢するスプリング線９３とを備える。携帯機器９９が装着され、傾動体９４の一端がスプリング線９３の付勢力に抗して押し下げられたとき、傾動体９４の回転に連動して出力端子部９３Ａを端子窓９５から装着部９２に押し出して、携帯機器９９の電源端子９９Ａと接触させる。
【０００４】
この構造の充電台は、装着部にセットされる携帯機器で出力端子部を装着部に突出させるメカニズムが複雑になる欠点がある。出力端子部を装着部に突出させるメカニズムを簡素化するために、リンク機構でもって、プラス側とマイナス側の出力端子部を一緒に装着部に突出させる充電台が開発されている。（特許文献２ないし５参照）
【０００５】
これらの公報に記載される充電台は、装着部に突出する突出部と出力端子部とをリンク機構で連結して、装着部に装着される携帯機器で突出部が押し込まれると、出力端子部を装着部に突出させて携帯機器の電源端子に接触させる。この構造の充電台は、特許文献１の充電台に比較して簡素化されるが、複数の部材を連結するリンク機構で充電端子を装着部に突出させることから複数の部材を連結する必要があり、連結部の摩耗や摺動抵抗によって経時的に故障しやすい欠点がある。また、複数の部材からなるリンク機構をケースに内蔵することから、ケース内にリンク機構を内蔵するスペースを設ける必要がある。とくに、これらの充電台は、装着部に装着される携帯機器で突出部を押し込むために、装着部の底プレートに対して交差する方向に突出部が出没する構造としている。突出部を底プレートに対して交差する方向に突出させるために、これらの充電台は、底プレートに対して垂直な面内で傾動する傾動部材を底プレートとケースの内側に配設している。このため、これらの充電台は、ケース全体、とくに装着部を薄くできない。
【０００６】
さらに、これらの充電台は、傾動部材を、装着部に装着される携帯機器の自重で、突出部が押し込まれた状態、すなわち傾動する状態に保持して、リンク機構を介して充電端子を装着部に突出させた状態に保持する。このため、装着部にセットされる携帯機器の装着位置が振動や衝撃等でずれ易い問題点がある。携帯機器の充電中において、携帯機器の位置が不意にずれると、出力端子部を電源端子に正確に接触できなくなり、正しく充電できない等の問題点がある。したがって、充電台は、携帯機器を充電する状態において、外部からの振動や衝撃等を受けても携帯機器の位置がずれないように正しい充電位置に保持できることが大切である。
【特許文献１】特開２００３−９４０９号公報
【特許文献２】特開２００４−３０４９７８号公報
【特許文献３】特開２００５−１１０４７５号公報
【特許文献４】特開２００５−１１７７０３号公報
【特許文献５】特開２００６−５０７５８号公報
【発明の開示】
【発明が解決しようとする課題】
【０００７】
本発明は、さらにこの欠点を解消することを目的に開発されたものである。本発明の重要な目的は、さらに簡単な構造でもって装着される携帯機器でもって出力端子部を装着部に突出できる充電台を提供することにある。
また、本発明の他の大切な目的は、単一の部材で出力端子部を装着部に突出させる極めて簡単な構造によって、ケース内の狭いスペースに出力端子部を突出させる機構を内蔵できる充電台を提供することにある。
さらに、本発明の他の大切な目的は、携帯機器を装着部の定位置にセットした状態に保持して、出力端子部を確実に携帯機器の電源端子に接触させて充電できる充電台を提供することにある。
【課題を解決するための手段】
【０００８】
本発明の請求項１の携帯機器の充電台は、電池を内蔵する携帯機器９を脱着できるように装着する装着部２を有するケース１と、このケース１内に設けられて、装着部２にセットされる携帯機器９の電源端子９Ａに接触される出力端子部３Ａを有するスプリング線３と、このスプリング線３に連結されて、ケース１内に往復運動できるように配設してなる往復運動体４と、この往復運動体４に連結している弾性体５とを備えている。往復運動体４は、装着部２の底プレート２Ａからケース１の内側にあって、装着部２の両側に伸び、かつ装着部２の両側に往復運動できるように配設している。さらに、往復運動体４は、第１の端部に、装着部２にセットされる携帯機器９に押される駆動部７を有する。この駆動
部７は、弾性体５でもって、装着部２の外側から内側に弾性的に配置されている。さらに、往復運動体４は、この駆動部７と反対側の第２の端部に、駆動部７が装着部２の外側に押されて、出力端子部３Ａが装着部２に向かって突出するスプリング線３を直接連結している。充電台は、ケース１の装着部２に携帯機器９が装着されて、駆動部７が装着部２の外側に押されると、往復運動体４が移動して、スプリング線３の出力端子部３Ａを装着部２に突出させて、出力端子部３Ａを携帯機器９の電源端子９Ａに接触させる。
ケース１が、装着部２に装着される携帯機器９の側面を保持して対向する保持壁１０、１１を備えており、保持壁１０、１１の内部に、出力端子部３Ａ、セット時の駆動部７が収納される。
【０００９】
本発明の請求項２の携帯機器の充電台は、往復運動体４をロッド状として、第１の端部をＬ字状に折曲する形状に成形して駆動部７を設けている。
【００１０】
本発明の請求項３の携帯機器の充電台は、電池を内蔵する携帯機器３９を脱着できるように装着する装着部３２を有するケース３１と、このケース３１内に設けられて、装着部３２にセットされる携帯機器３９の電源端子３９Ａに接触される出力端子部３３Ａを有するスプリング線３３と、このスプリング線３３に連結されて、ケース３１内に往復運動できるように配設してなる往復運動体３４と、この往復運動体３４に連結されてケース３１内に傾動できるように配設してなる傾動アーム３６と、往復運動体３４または傾動アーム３６に連結している弾性体３５とを備えている。往復運動体３４は、ケース３１の内側にあって、スプリング線３３の出力端子部３３Ａを装着部３２に突出させる方向に往復運動できるように配設している。傾動アーム３６は、ケース３１内であって、装着部３２の一方の側部に沿う方向に伸び、かつ装着部３２の底プレート３２Ａと平行な面内で傾動できるように配設している。さらに、傾動アーム３６は、第１の端部に、装着部３２にセットされる携帯機器３９に押される駆動部３７を有する。この駆動部３７は、弾性体３５でもって、装着部３２の外側から内側に弾性的に配置されている。さらに、傾動アーム３６は、この駆動部３７と反対側の第２の端部に、往復運動体３４に連結している。充電台は、ケース３１の装着部３２に携帯機器３９が装着されて、駆動部３７が装着部３２から外側に押されると傾動アーム３６が傾動し、傾動する傾動アーム３６が往復運動体３４を移動させて、スプリング線３３の出力端子部３３Ａを保持壁４０から装着部３２に突出させて、出力端子部３３Ａを携帯機器３９の電源端子３９Ａに接触させる。
ケース３１が、装着部３２に装着される携帯機器３９の側面を保持する保持壁４０を備えており、保持壁４１内部に、傾動アーム３６、出力端子部３３Ａが収納される。
【００１１】
本発明の請求項４の携帯機器の充電台は、ケース１、３１が、装着部２、３２に装着される携帯機器９、３９の側面を保持する保持壁１１、４０を備えており、この保持壁１１、４０に設けた貫通孔１４、４４から装着部２、３２に出入りするように駆動部７、３７を配設している。
【００１２】
本発明の請求項５の携帯機器の充電台は、ケース１、３１が、装着部２、３２に装着される携帯機器９、３９の側面を保持する保持壁１０、４１を備えており、この保持壁１０、４１と、装着部２、３２の外側から内側に弾性的に配置される駆動部７、３７とで、装着部２、３２に装着される携帯機器９、３９を挟着状態に保持する。
【００１３】
本発明の請求項６の携帯機器の充電台は、弾性体５、３５がコイルスプリングで、往復運動体４、３４が、コイルスプリングを配設するスリット１６、４６を有すると共に、このスリット１６、４６にコイルスプリングを配設する連結ロッド１７、４７を一体的に成形して設けており、弾性体５、３５のコイルスプリングが往復運動体４、３４の連結ロッド１７、４７に連結されると共に、ケース１、３１にもコイルスプリングの他端を連結する連結部１８、４８を設けている。
【００１４】
本発明の請求項７の携帯機器９、３９の充電台は、ケース１、３１が、往復運動体４、３４を往復運動させるガイド１９、４９を一体的に成形して設けている。
【発明の効果】
【００１５】
本発明の充電台は、簡単な構造としながら、装着される携帯機器でもって出力端子部を確実に装着部に突出できる特徴がある。それは、本発明の請求項１の充電台が、ケースの内側であって装着部の両側に往復運動できるように往復運動体を配設して、この往復運動体の第１の端部には、弾性体でもって装着部の外側から内側に弾性的に配置されて、装着部にセットされる携帯機器に押される駆動部を設ける共に、この駆動部と反対側の第２の端部には、駆動部が装着部の外側に押されると出力端子部が装着部に向かって突出するスプリング線を連結しており、ケースの装着部に携帯機器が装着されて、駆動部が装着部の外側に押されると、往復運動体が移動して、スプリング線の出力端子部を装着部に突出させて、出力端子部を携帯機器の電源端子に接触させるからである。この充電台は、単一の部材である往復運動体の一方の端部に駆動部を、他方の端部にスプリング線を連結して、この復運動体を装着部の両側に往復運動させるので、出力端子部を装着部に突出させる構造を極めて簡単な構造としながら、装着部に装着される携帯機器でもって出力端子部を確実に装着部に突出できる。このように、単一の部材である往復運動体でもって、装着部に装着される携帯機器で出力端子部を装着部に突出させる構造は、従来の複数の部材を連結するリンク機構で充電端子を装着部に突出させる構造のように、複数の部材を連結する必要がなく、製造にかかる手間やコストを低減できると共に、連結部の摩耗や摺動抵抗による経時的な故障を極減できる。また、複数の部材を連結する複雑な機構を使用することなく、極めて簡単な機構で出力端子部を装着部に突出させるので、ケース内の狭いスペースに出力端子部を突出させる機構を内蔵して、ケース全体をコンパクトにできる。とくに、従来の充電台のように、底プレートに対して垂直な面内で傾動する傾動部材を底プレートとケースの内側に配設することなく、装着部の両側に伸びる往復運動体を装着部の底プレートからケースの内側に配置するので、装着部を薄くできる。
【００１６】
さらに、本発明の請求項２の携帯機器の充電台は、往復運動体をロッド状として、第１の端部をＬ字状に折曲する形状に成形して駆動部を設けているので、往復運動体を極めて簡単な構造としてケース内の狭いスペースに配設しながら、装着部に装着される携帯機器で確実に駆動できる。
【００１７】
本発明の請求項３の充電台は、スプリング線の出力端子部を装着部に突出させる方向に往復運動させる往復運動体をケースの内側に配設すると共に、この往復運動体に連結される傾動アームをケース内に傾動できるように配設しており、この傾動アームの第１の端部には、弾性体でもって装着部の外側から内側に弾性的に配置されて、装着部にセットされる携帯機器に押される駆動部を設けて、この駆動部と反対側の第２の端部を往復運動体に連結しており、ケースの装着部に携帯機器が装着されて、駆動部が装着部から外側に押されると傾動アームが傾動し、傾動する傾動アームが往復運動体を移動させて、スプリング線の出力端子部を装着部に突出させて携帯機器の電源端子に接触させるので、簡単な構造としながら、装着される携帯機器でもって出力端子部を確実に装着部に突出できる。とくに、この充電台は、傾動アームを、装着部の一方の側部に沿う方向に伸びる形状として、装着部の底プレートと平行な面内で傾動できるように配設しているので、ケース内の狭いスペースに出力端子部を突出させる機構を内蔵して、ケース全体をコンパクトに、とくに、装着部を薄くできる。
【００１８】
さらに、本発明の請求項４の携帯機器の充電台は、ケースが、装着部に装着される携帯機器の側面を保持する保持壁を備えており、この保持壁に設けた貫通孔から装着部に出入りするように駆動部を配設しているので、駆動部を装着部の定位置に配設しながら、装着部に装着される携帯機器で確実に駆動できる。
【００１９】
さらに、本発明の請求項５の携帯機器の充電台は、ケースが、装着部に装着される携帯機器の側面を保持する保持壁を備えており、この保持壁と、装着部の外側から内側に弾性的に配置される駆動部とで、装着部に装着される携帯機器を挟着状態に保持するので、携帯機器を装着部の定位置にセットした状態に保持して、出力端子部を確実に携帯機器の電源端子に接触させながら充電できる特徴がある。とくに、駆動部は、弾性体でもって装着部の外側から内側に弾性的に配置されており、装着部にセットされる携帯機器を弾性的に押圧するので、この駆動部と保持壁とで、携帯機器を弾性的に挟着して定位置に保持できる。この充電台は、充電中において、外部からの振動や衝撃等によって携帯機器の位置がずれるのを有効に防止できるので、出力端子部を携帯機器の電源端子に接触させた状態に保持して、安定して充電できる。
【００２０】
さらに、本発明の請求項６の携帯機器の充電台は、弾性体をコイルスプリングとして、往復運動体には、コイルスプリングを配設するスリットを設けて、このスリットにコイルスプリングを配設する連結ロッドを一体的に成形して設けており、弾性体のコイルスプリングを往復運動体の連結ロッドに連結すると共に、ケースにもコイルスプリングの他端を連結する連結部を設けているので、コイルスプリングである弾性体を、簡単な構造で往復運動体とケースに連結して、安定して往復運動できる。
【００２１】
さらにまた、本発明の請求項７の携帯機器の充電台は、往復運動体を往復運動させるガイドをケースに一体的に成形して設けているので、往復運動体を正確な方向に往復運動させて、往復運動体に連結したスプリング線の出力端子部を正確に装着部に突出できる。
【発明を実施するための最良の形態】
【００２２】
以下、本発明の実施例を図面に基づいて説明する。ただし、以下に示す実施例は、本発明の技術思想を具体化するための充電台を例示するものであって、本発明は充電台を以下のものに特定しない。
【００２３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２４】
本発明の第１の実施例を図６ないし図１１に、第２の実施例を図１２ないし図１７に示す。以下の記述において、特に説明がない場合は、両方の実施例を説明している。
【００２５】
これらの充電台は、充電できる電池（図示せず）を内蔵する携帯機器９、３９を脱着できるように装着して、内蔵している電池を充電する。携帯機器９、３９は携帯電話である。ただ、本発明は、内蔵する電池を充電する携帯機器を特定するものでなく、たとえば、ＭＤやＣＤの再生または録音再生機、デジタル携帯機器、ゲーム機、パック電池等の二次電池を内蔵している全ての携帯機器とすることができる。
【００２６】
これらの充電台は、携帯機器９、３９を脱着できるように装着する装着部２、３２を有するケース１、３１と、このケース１、３１内に設けられて、装着部２、３２にセットされる携帯機器９、３９の電源端子９Ａ、３９Ａに接触される出力端子部３Ａ、３３Ａを有するスプリング線３、３３と、このスプリング線３、３３に連結されて、ケース１、３１内に往復運動できるように配設してなる往復運動体４、３４と、往復運動体４、３４に連結している弾性体５、３５とを備えている。さらに、第２の実施例の充電台は、往復運動体３４に連結されて、ケース３１内に傾動できるように配設してなる傾動アーム３６を備えている。
【００２７】
さらに、充電台は、外部の充電回路に接続されるコネクタ２９、５９をケース１、３１に設けている。このコネクタ２９、５９は、スプリング線３、３３に連結され、コネクタ２９、５９を介してスプリング線３、３３を外部の充電回路に接続する。ただし、本発明の充電台は、ケースに充電回路を内蔵することもできる。
【００２８】
図に示す充電台は、ケース１、３１の前面に、上部を後方に傾斜する姿勢の装着部２、３２を設けている。装着部２、３２は、携帯機器９、３９を定位置にセットできるように、携帯機器９、３９の外側に位置して保持壁１０、１１、１２、４０、４１、４２を設けている。携帯機器９、３９は、保持壁１０、１１、１２、４０、４１、４２の内側に沿ってセットされる。第１の実施例の充電台は、図６と図７に示すように、装着部２の上下の両側と左右の両側に保持壁１０、１１、１２を設けている。この充電台は、携帯機器９の上下の側面と左右の両側面を保持壁１０、１１、１２で位置決めしながら定位置に装着する。第２の実施例の充電台は、図１２と図１３に示すように、装着部３２の上下の両側と左右の片側（図において右側）に保持壁４０、４１、４２を設けている。この充電台は、携帯機器３９の上下の側面と片側の側面を保持壁４０、４１、４２で位置決しながら定位置に装着する。
【００２９】
さらに、図に示すケース１、３１は、装着部２、３２に装着した携帯機器９、３９を抜けないように引っかけて係止する係止凸部２８、５８を設けている。図に示す係止凸部２８、５８は、保持壁１０、１１、４１から装着部２、３２の内側に向かって突出して設けている。とくに、図１０、図１１、図１６、及び図１７に示す係止凸部２８、５８は、装着部２、３２に弾性的に突出するように、押圧バネ２７、５７を介してケース１、３１に連結している。これらのケース１、３１は、装着部２、３２に装着される携帯機器９、３９の係止凹部９Ｂ、３９Ｂに係止凸部２８、５８を案内して、携帯機器９、３９をしっかりと定位置に装着して保持できる。
【００３０】
第１の実施例の充電台は、図６と図７に示すように、ケース１を水平な台に載置する水平台１Ａと、この水平台１Ａに傾斜する姿勢で連結しているセット台１Ｂとからなり、セット台１Ｂの前面に装着部２を設けている。このケース１は、セット台１Ｂの前面に水平方向に伸びる溝形の装着部２を設けている。水平方向に伸びる装着部２は、その上下に設けられる両側の保持壁１０、１１に、出力端子部３Ａを突出させる端子窓１３と、往復運動体４の駆動部７を出入りできるように突出させる貫通孔１４とを設けている。図のケース１は、装着部２の下側の保持壁１０に端子窓１３を開口して、上側の保持壁１１から装着部２の底プレート２Ａにかけての隅部に貫通孔１４を開口している。さらに、図のケース１は、装着部２の前面に、携帯機器９の底面を支持する支持プレート１５を設けている。この支持プレート１５は、携帯機器９よりも幅の狭い、言い換えると溝形の装着部２の上下幅よりも幅の狭い帯状で、両端部を携帯機器９の底面から側面に沿う形状に湾曲させて、両端に保持壁１２を設けている。
【００３１】
さらに、図６と図７に示すケース１は、保持壁１０の片側部（図において左側部）に、ケース１の側面に開口する収納凹部２０を設けている。この収納凹部２０は、携帯機器９に接続される接続プラグ８を挿入できる形状としている。このケース１は、図６の鎖線で示すように、イヤホーン等の接続プラグ８等を接続した携帯機器９を装着部２に装着して、携帯機器９を充電できる。
【００３２】
第２の実施例の充電台は、図１２と図１３に示すように、ケース３１を第１の実施例の充電台と同じ形状として、水平台３１Ａと、この水平台３１Ａに傾斜する姿勢で連結しているセット台３１Ｂとで構成するが、傾動アーム３６の駆動部３７を突出させる貫通孔４４と、スプリング線３３の出力端子部３３Ａを突出させる端子窓４３の両方を下側の保持壁４０に開口している。
【００３３】
ケース１、３１の保持壁１０、４０に設けられる端子窓１３、４３は、ここからスプリング線３、３３の出力端子部３Ａ、３３Ａを突出させて、装着部２、３２に装着される携帯機器９、３９の電源端子９Ａ、３９Ａに接触できる位置に設けられる。
【００３４】
スプリング線３、３３は、導電性と弾性のある金属線である。スプリング線３、３３は、ばね用リン青銅の線材等の弾性金属線の表面を金メッキしたものが最適である。携帯機器９、３９の電源端子９Ａ、３９Ａに対する接触不良を少なくできるからである。スプリング線３、３３は、先端部に出力端子部３Ａ、３３Ａを設けている。この出力端子部３Ａ、３３Ａを携帯機器９、３９の正負の電源端子９Ａ、３９Ａに接触させて、携帯機器９、３９に内蔵される電池を充電する。したがって、スプリング線３、３３は、正負の出力端子部３Ａ、３３Ａを互いに絶縁して電源端子９Ａ、３９Ａに接触させるために、２本のスプリング線３、３３を互いに離して、往復運動体４、３４に連結している。２本のスプリング線３、３３は、図１０、図１１、図１６、及び図１７に示すように、往復運動体４、３４の第２の端部（図において下側の端部）の左右の両側に、互いに絶縁して配設している。
【００３５】
スプリング線３、３３は、出力端子部３Ａ、３３Ａを電源端子９Ａ、３９Ａに対して弾性的に押圧できるように往復運動体４、３４に連結している。図のスプリング線３、３３は、一方の端部を山形に折曲加工して出力端子部３Ａ、３３Ａを設けると共に、出力端子部３Ａ、３３Ａと反対側の端部には固定部３Ｃ、３３Ｃを設け、さらに、出力端子部３Ａ、３３Ａと固定部３Ｃ、３３Ｃとの間にコイル部３Ｂ、３３Ｂを設けている。コイル部３Ｂ、３３Ｂは、弾性金属線をコイル状に巻いており、出力端子部３Ａ、３３Ａを装着部２、３２に向かって付勢している。さらに、このスプリング線３、３３は、コイル部３Ｂ、３３Ｂから出力端子部３Ａ、３３Ａまでの間に直線状の押圧ライン部３Ｄ、３３Ｄを設けている。このスプリング線３、３３は、往復運動体４、３４に設けているコイル用軸２１、５１にコイル部３Ｂ、３３Ｂを挿通すると共に、固定部３Ｃ、３３Ｃを係止部２２、５２に係止し、さらに、押圧ライン３Ｄ、３３Ｄを係合凹部２３、５３に挿入して往復運動体４、３４に連結している。この構造は、係合凹部２３、５３に係合される押圧ライン３Ｄ、３３Ｄで出力端子部３Ａ、３３Ａの突出位置を特定しながら、スプリング線３、３３を確実にしっかりと往復運動体４、３４の定位置に固定できる。さらに、この構造は、出力端子部３Ａ、３３Ａが携帯機器９、３９の電源端子９Ａ、３９Ａを押圧する状態で、押圧ライン３Ｄ、３３Ｄを係合凹部２３、５３内で弾性的に移動させて、出力端子部３Ａ、３３Ａを最適な押圧力で電源端子９Ａ、３９Ａに接触できる。
【００３６】
充電台は、図８ないし図１１、及び図１４ないし図１７に示すように、ケース１、３１に往復運動体４、３４を内蔵している。往復運動体４、３４は、装着部２、３２の底プレート２Ａ、３２Ａからケース１、３１の内側にあって、装着部２、３２の両側、図において上下方向に伸び、かつ装着部２、３２の両側の方向、図において上下方向に往復運動できるように配設している。ただ、第２の実施例の充電台においては、往復運動体は、必ずしも装着部の底プレートからケースの内側に配設する必要はない。この充電台は、往復運動体を、ケースの保持壁の内部、たとえば、装着部の下側に形成される保持壁の内部に往復運動できるように配設することもできる。
【００３７】
第１の実施例の充電台において、往復運動体４は、第１の端部を上端部として、この上端部に、装着部２にセットされる携帯機器９に押される駆動部７を設けている。駆動部７は、弾性体５でもって、装着部２の外側から内側に弾性的に配置されている。さらに、往復運動体４は、駆動部７と反対側の第２の端部、図において下端部に、駆動部７が携帯機器９に押される状態で、出力端子部３Ａを装着部２に向かって突出させる一対のスプリング線３を連結している。
【００３８】
この充電台は、図８ないし図１１に示すように、往復運動体４の全体形状を上下に伸びるロッド状にプラスチックで成形している。この往復運動体４は、セット台１Ｂの内部に、上下に往復運動できるように収納している。図の往復運動体４は、第１の端部である上端部をＬ字状に折曲する形状に成形して、折曲片を駆動部７としている。駆動部７は、ケース１に設けた貫通孔１４から装着部２に出入りできるように配設している。
【００３９】
この往復運動体４は、弾性体５で付勢されて、駆動部７を、装着部２の外側から内側に弾性的に移動させる。したがって、弾性体５は、駆動部７を、装着部２の外側から内側に弾性的に移動させる方向、図において上から下に付勢している。図に示す弾性体５は、コイルスプリングである。往復運動体４は、図１０と図１１に示すように、コイルスプリングである弾性体５を配設するスリット１６を備えている。図の充電台は、往復運動体４をロッド状としているので、中央部に１列のスリット１６を設けて、このスリット１６にコイルスプリングを配設している。この往復運動体４は、スリット１６の内部に、コイルスプリングを連結する連結ロッド１７を一体的に成形して設けている。弾性体５のコイルスプリングは、この連結ロッド１７に挿通されて往復運動体４に連結される。さらに、ケース１にも、コイルスプリングである弾性体５の他端を連結する連結部１８を設けている。
【００４０】
さらに、図に示すケース１は、往復運動体４を往復運動させるガイド１９を一体的に成形して設けている。図のケース１は、往復運動体４の両側に沿って、上下方向に延びるリブを設けており、このリブをガイド１９としている。さらに、図に示す往復運動体４は、スリット１６の内部に挿入される連結部１９もガイドに併用している。すなわち、往復運動体４は、スリット１６内に配設される連結部１９がスリット１６の内面に沿って相対的に移動することで、所定の方向に往復運動する。さらに、スリット１６内に配設される連結部１９は、往復運動する往復運動体４の停止位置を特定する位置決め部材にも併用している。すなわち、図に示す往復運動体４は、スリット１６内の連結部１９が、スリット１６の上側の内面に当接する状態で、降下位置が特定される。
【００４１】
以上に示す第１の実施例の充電台は、装着部２に携帯機器９が装着されると、図９に示すように、駆動部７が携帯機器９で装着部２の外側（図においては上方）に押されて、往復運動体４が降下位置から上昇位置に移動する。上昇位置に移動する往復運動体４は、下端部に連結しているスプリング線３の出力端子部３Ａを電極窓１３から装着部２に突出させる。装着部２に突出する出力端子部３Ａは、装着部２に装着される携帯機器９の電源端子９Ａに押圧状態で接触して、携帯機器９を充電する。
【００４２】
さらに、この充電台は、携帯機器９を装着部２から取り外すと、図８に示すように、往復運動体４が弾性体５で付勢されて、降下位置に復帰する。往復運動体４が降下位置に復帰すると、駆動部７が装着部２の内側に突出する。この状態で、往復運動体４の下端部に連結されたスプリング線３の出力端子部３Ａは、電極窓１３からケース１の内部に収納される。したがって、装着部２に携帯機器９を装着しない状態では、出力端子部３Ａはケース１の内部にあって、感電等が防止される。
【００４３】
さらに、第２の実施例の充電台は、図１４ないし図１７に示すように、往復運動体３４の全体形状を上下に伸びるロッド状として、セット台３１Ｂの内部に、上下に往復運動できるように収納している。ただ、この往復運動体３４には、携帯機器３９に押される駆動部を設けていない。この充電台は、往復運動体３４に連結される傾動アーム３６をケース３１内に配設しており、この傾動アーム３６に、装着部３２にセットされる携帯機器３９に押される駆動部３７を設けている。
【００４４】
傾動アーム３６は、ケース３１内に、装着部３２の底プレート３２Ａと平行な面内で傾動できるように配設している。傾動アーム３６は、全体をプラスチックで成形しており、装着部３２の一方の側部（図において下側の側部）に沿う方向に伸びる姿勢で配設している。図の傾動アーム３６は、ケース３１に一体成形された傾動軸４５を中央部に挿通して、この傾動軸４５を中心として傾動できるようにケース３１に連結している。さらに、傾動アーム３６は、第１の端部に、弾性体３５でもって装着部３２の外側から内側に弾性的に配置される駆動部３７を設けて、この駆動部３７と反対側の第２の端部を往復運動体３４に連結している。図の傾動アーム３６は、傾動軸４５の右側を第１の端部として、この端部をＬ字状に折曲する形状に成形して、折曲片を駆動部３７としている。駆動部３７は、保持壁４０に設けた貫通孔４４から装着部３２に出入りできるように配設している。さらに、傾動アーム３６は、傾動軸４５の左側を第２の端部として、往復運動体３４に連結する連結アーム部３８を設けている。
【００４５】
傾動アーム３６と往復運動体３４は、互いに連動できる構造で連結している。装着部３２に携帯機器３９を脱着して傾動アーム３６が傾動する状態で、往復運動体３４を往復運動させるためである。図に示す往復運動体３４は、下端部に、傾動アーム３６の連結アーム部３８に接触するカム５０を備えている。このカム５０は、連結アーム部３８に接触するカム面を湾曲面としている。傾動アーム３６は、連結アーム部３８の表面であって、カム５０と接触する対向面に平面状の当接面を設けている。傾動アーム３６と往復運動体３４は、カム５０のカム面を、連結アーム部３８の当接面に沿って移動させて、互いに連動するように連結している。この連結構造は、傾動する傾動アーム３６の回転運動と往復運動する往復運動体３４の直線運動とを無理なく変換できる。ただ、図示しないが、傾動アームと往復運動体は、互いに連動できる他の全ての連結構造とすることができる。たとえば、傾動アームと往復運動体は、一方に連結ロッドを設けて、他方に、この連結ロッドを挿入する連結孔を設けて互いに連結することもできる。とくに、連結孔を長孔として、回転運動と直線運動とを無理なく変換できる。
【００４６】
互いに連動する傾動アーム３６と往復運動体３４は、弾性体３５で付勢されて、駆動部３７を、装着部３２の外側から内側に弾性的に移動させる。図に示す弾性体３５は、往復運動体３４に連結しており、傾動アーム３６の駆動部３７を装着部３２の内側に弾性的に突出させるように付勢している。この弾性体３５は、往復運動体３４を、図において上から下に付勢しており、往復運動体３４の下端部に設けたカム５０で傾動アーム３６の連結アーム部３８を押し下げる方向に押圧している。連結アーム部３８が押し下げられる傾動アーム３６は、反対側の駆動部３７が押し上げられて、駆動部３７が装着部３２の内側に突出する。ただ、弾性体は、必ずしも往復運動体に連結する必要はなく、傾動アームに連結することもできる。傾動アームに連結する弾性体も、駆動部を装着部の内側に弾性的に突出させるように付勢する。
【００４７】
図に示す弾性体３５は、コイルスプリングである。図の往復運動体３４も、前述の往復運動体と同様に、中央部に１列のスリット４６を設けて、このスリット４６に弾性体３５であるコイルスプリングを配設している。往復運動体３４は、スリット４６の内部に連結ロッド４７を一体的に成形して設けており、この連結ロッド４７にコイルスプリングを挿通して往復運動体３４に連結している。さらに、ケース３１にも、コイルスプリングである弾性体３５の他端を連結する連結部４８を設けると共に、往復運動体３４の両側に沿って、往復運動体を往復運動させるガイド４９を設けている。
【００４８】
以上に示す第２の実施例の充電台は、装着部３２に携帯機器３９が装着されると、図１５と図１７に示すように、傾動アーム３６の駆動部３７が携帯機器３９で装着部３２の外側（図においては下方）に押されて、傾動アーム３６が傾動軸４５を中心として傾動する。傾動する傾動アーム３６は、駆動部３７と反対側の連結アーム部３８が往復運動体３４のカム５０を押し上げて、往復運動体３４を降下位置から上昇位置に移動させる。このとき、往復運動体３４のカム５０は、連結アーム部３８の当接面を摺動しながら押し上げられる。上昇位置に移動する往復運動体３４は、下端部に連結しているスプリング線３３の出力端子部３３Ａを電極窓４３から装着部３２に突出させる。装着部３２に突出する出力端子部３３Ａは、装着部３２に装着される携帯機器３９の電源端子３９Ａに押圧状態で接触して、携帯機器３９を充電する。
【００４９】
さらに、この充電台は、携帯機器３９を装着部３２から取り外すと、図１４と図１６に示すように、往復運動体３４が弾性体３５で付勢されて、降下位置に復帰する。降下位置に移動する往復運動体３４は、下端部のカム５０が傾動アーム３６の連結アーム部３８を押し下げて、傾動アーム３６を傾動させる。このとき、往復運動体３４のカム５０は、連結アーム部３８の当接面を摺動しながら傾動アーム３６を傾動させる。連結アーム部３８が押し下げられる傾動アーム３６は、反対側の駆動部３７が押し上げられて、駆動部３７が装着部３２の内側に突出する。また、降下位置に移動する往復運動体３４は、下端部に連結されたスプリング線３３の出力端子部３３Ａを、電極窓４３からケース３１の内部に収納する。したがって、装着部３２に携帯機器３９を装着しない状態では、出力端子部３３Ａはケース３１の内部にあって、感電等が防止される。
【００５０】
以上の実施例の充電台は、ケース１、３１に内蔵される往復運動体４、３４を弾性体５、３５で下方に向かって付勢しており、装着部２、３２に携帯機器９、３９が装着されて駆動部７、３７が押されると、往復運動体４、３４が上方に移動して、往復運動体４、３４の下端部に連結したスプリング線３、３３の出力端子部３Ａ、３３Ａが下側の保持壁１０、４０から上方に向かって突出する構造としている。ただ、充電台は、ケースに内蔵される往復運動体を弾性体で上方に向かって付勢すると共に、往復運動体の上端部にスプリング線を連結し、装着部に携帯機器が装着されて駆動部が押されると、往復運動体が下方に移動して、往復運動体の上端部に連結したスプリング線の出力端子部が上側の保持壁から下方に向かって突出して携帯機器の電源端子に接触する構造とすることもできる。この充電台は、装着部に携帯機器が装着されて駆動部が押されると、往復運動体が下方に移動するように往復運動体を往復運動させる。
【図面の簡単な説明】
【００５１】
【図１】従来の充電台の斜視図である。
【図２】図１に示す充電台の装着検知部の斜視図である。
【図３】図１に示す充電台の垂直縦断面図である。
【図４】図３に示す充電台に携帯機器を装着する状態を示す断面図である。
【図５】図３に示す充電台に携帯機器を装着した状態を示す断面図である。
【図６】本発明の第１の実施例にかかる充電台の斜視図である。
【図７】図６に示す充電台に携帯機器を装着した状態を示す斜視図である。
【図８】図６に示す充電台の垂直横断面図である。
【図９】図７に示す充電台の垂直横断面図である。
【図１０】図６に示す充電台の内部構造を示す斜視図である。
【図１１】図７に示す充電台の内部構造を示す斜視図である。
【図１２】本発明の第２の実施例にかかる充電台の斜視図である。
【図１３】図１２に示す充電台に携帯機器を装着した状態を示す斜視図である。
【図１４】図１２に示す充電台の内部構造を示す断面図である。
【図１５】図１３に示す充電台の内部構造を示す断面図である。
【図１６】図１２に示す充電台の内部構造を示す断面斜視図である。
【図１７】図１３に示す充電台の内部構造を示す断面斜視図である。
【符号の説明】
【００５２】
１…ケース                １Ａ…水平台
１Ｂ…セット台
２…装着部                ２Ａ…底プレート
３…スプリング線          ３Ａ…出力端子部
３Ｂ…コイル部
３Ｃ…固定部
３Ｄ…押圧ライン部
４…往復運動体
５…弾性体
７…駆動部
８…接続端子
９…携帯機器              ９Ａ…電源端子
９Ｂ…係止凹部
１０…保持壁
１１…保持壁
１２…保持壁
１３…端子窓
１４…貫通孔
１５…支持プレート
１６…スリット
１７…連結ロッド
１８…連結部
１９…ガイド
２０…収納凹部
２１…コイル用軸
２２…係止部
２３…係合凹部
２７…押圧バネ
２８…係止凸部
２９…コネクタ
３１…ケース              ３１Ａ…水平台
３１Ｂ…セット台
３２…装着部              ３２Ａ…底プレート
３３…スプリング線        ３３Ａ…出力端子部
３３Ｂ…コイル部
３３Ｃ…固定部
３３Ｄ…押圧ライン部
３４…往復運動体
３５…弾性体
３６…傾動アーム
３７…駆動部
３８…連結アーム部
３９…携帯機器            ３９Ａ…電源端子
３９Ｂ…係止凹部
４０…保持壁
４１…保持壁
４２…保持壁
４３…端子窓
４４…貫通孔
４５…駆動軸
４６…スリット
４７…連結ロッド
４８…連結部
４９…ガイド
５０…カム
５１…コイル用軸
５２…係止部
５３…係合凹部
５７…押圧バネ
５８…係止凸部
５９…コネクタ
９０…装着検知部
９１…ケース
９２…装着部
９３…スプリング線        ９３Ａ…出力端子部
９４…傾動体
９５…端子窓
９６…貫通孔
９７…突出部
９９…携帯機器            ９９Ａ…電源端子
【図１】
0005288820.tif 000002
【図２】
0005288820.tif 000003
【図３】
0005288820.tif 000004
【図４】
0005288820.tif 000005
【図５】
0005288820.tif 000006
【図６】
0005288820.tif 000007
【図７】
0005288820.tif 000008
【図８】
0005288820.tif 000009
【図９】
0005288820.tif 000010
【図１０】
0005288820.tif 000011
【図１１】
0005288820.tif 000012
【図１２】
0005288820.tif 000013
【図１３】
0005288820.tif 000014
【図１４】
0005288820.tif 000015
【図１５】
0005288820.tif 000016
【図１６】
0005288820.tif 000017
【図１７】
0005288820.tif 000018